(57)【要約】      （修正有）【課題】新たな操作ボタンを追加することなく、従来から利用されている操作ボタンを利用して、容易な操作で、再生リストの切替え等の処理を可能にした情報処理装置を提供する。【解決手段】複数の操作ボタンからなる入力部と、コンテンツを再生する再生処理部と、複数のコンテンツと、共通の特性を持つコンテンツを１つのグループとして登録した再生リストとを記憶した記憶部と、入力部を用いて再生すべきコンテンツあるいは再生リストが選択され、かつ選択されたコンテンツあるいは再生リストに含まれるコンテンツの再生を開始する入力が行われたことを判断する入力判断部とを備え、コンテンツの再生開始後に、所定の操作ボタンに対して特定の入力操作がされた場合に、入力判断部が、コンテンツが選択されたと判断した場合と、再生リストが選択されたと判断した場合とによって、特定の入力操作に対して異なる処理を実行させる。【選択図】図２
2015022786.tif 000002
【特許請求の範囲】
【請求項１】
所定の機能を実行させるための複数の操作ボタンからなる入力部と、
コンテンツを再生する再生処理部と、
複数のコンテンツと、複数のコンテンツのうち共通の特性を持つコンテンツを１つのグループとして登録した再生リストとを記憶した記憶部と、
前記入力部を用いて再生すべきコンテンツあるいは再生リストが選択され、かつ選択されたコンテンツあるいは再生リストに含まれるコンテンツの再生を開始する入力が行われたことを判断する入力判断部とを備え、
コンテンツの再生開始後に、前記入力部の所定の操作ボタンに対して特定の入力操作がされた場合に、前記入力判断部が、前記コンテンツが選択されたと判断した場合と、前記再生リストが選択されたと判断した場合とによって、前記特定の入力操作に対して異なる処理を実行させることを特徴とする情報処理装置。
【請求項２】
前記記憶部に、前記入力部を用いてユーザが選択したユーザ選択情報を記憶し、
前記入力判断部は、再生を開始する際にユーザが再生すべきコンテンツを選択したと判断した場合は、選択されたコンテンツの情報を、前記ユーザ選択情報に記憶し、または、
ユーザが再生すべき再生リストを選択したと判断した場合は、選択された再生リストの情報を、前記ユーザ選択情報に記憶することを特徴とする請求項１に記載の情報処理装置。
【請求項３】
前記入力部によって前記特定の入力操作がされた場合に、前記ユーザ選択情報に再生リストの情報が記憶されていた場合、再生中のコンテンツが含まれる再生リストを、他の再生リストに切り替え、前記再生処理部が切換後の再生リストに含まれる所定のコンテンツを再生することを特徴とする請求項２に記載の情報処理装置。
【請求項４】
前記入力部によって前記特定の入力操作がされた場合に、前記ユーザ選択情報にコンテンツの情報が記憶されていた場合、再生中のコンテンツの再生状態を変化させる処理を実行することを特徴とする請求項２に記載の情報処理装置。
【請求項５】
前記入力部の複数の操作ボタンには、有線または無線通信によって接続された音声出力装置に付属している操作ボタンが含まれることを特徴とする請求項１ないし４のいずれかに記載の情報処理装置。
【発明の詳細な説明】
【技術分野】
【０００１】
この発明は、情報処理装置に関し、特に、ユーザが情報の再生や機能の切替選択などの入力操作を行う操作ボタンに、複数の機能を割り当て、所定の入力操作順序に基づいて所望の機能を実現させる情報処理装置に関する。
【背景技術】
【０００２】
音楽プレーヤーや音楽を再生する機能を有する携帯端末では、アーティストのリストやアルバムのリスト、ユーザにより作成されたリストなど、さまざまな再生リストを持つことが一般的である。リモコン付き有線イヤホンを装着した音楽プレーヤーで楽曲を聴く場合、音楽プレーヤーをズボンや鞄などにいれ、リモコン付き有線イヤホンを手元において楽曲を聴いたり、楽曲を切り替えるといった操作を行うユースケースがある。
また、近距離無線通信を利用したワイヤレスヘッドセット等を用いて、楽曲の切替等が行われている。
【０００３】
また、リモコン付き有線イヤホン等はサイズが小さいこともあり、早送り/巻戻しのためのボタン操作（タッチパネルでのタッチ操作を含む）と、次/前の楽曲に切り替えるためのボタンが１つのボタンになっているものも多い。
上記のように操作ボタンが少ない環境において、次/前の楽曲に切り替えたり、別のプレイリストに切換えたりする方法について、例えば、下記のような方法が提案されている。
【０００４】
特許文献１では、ＦＦ操作及びＦＲ操作というグループジャンプ操作と、３つのグループジャンプ用リスト（アルバムジャンプ用リスト、アーティスト順アルバムジャンプ用リスト、アーティストジャンプ用リスト）とを予め対応付けて記憶しておき、３つのジャンプモードのいずれかを選択するためのジャンプモード選択画面を表示させ、ユーザがその表示を見てジャンプモードを選択する入力操作をすることによって、使用するジャンプ用リストを決定した後、ユーザによってグループジャンプ操作（ＦＦ操作の短押しまたは長押し、ＦＲ操作の短押しまたは長押し）が行われた場合、再生中グループに隣接するグループの１曲目あるいは長押し終了時に表示されていたグループの１曲目を選択して再生することにより、グループジャンプの自由度を広げるようにした再生装置が提案されている。
【０００５】
また、特許文献２では、第１のプレイリストに属するコンテンツを再生中に、再生中のコンテンツと関連する候補コンテンツを、所定の関連性に基づいて抽出し、抽出された候補コンテンツが属するプレイリスト（第１のプレイリストと異なるプレイリスト）を抽出し、ユーザが、抽出された候補コンテンツの中から所望の候補コンテンツを選択した場合、再生中のコンテンツの再生終了後に選択した候補コンテンツを再生し、再生するプレイリストを再生された候補コンテンツが属する第２のプレイリスト（第１のプレイリストと異なるプレイリスト）に切り替えることにより、再生中のプレイリストとは異なるプレイリストへ誘導することが可能な情報処理装置が提案されている。
【先行技術文献】
【特許文献】
【０００６】
【特許文献１】特開２００７−２９９５０８号公報
【特許文献２】特開２０１０−３３６８号公報
【発明の概要】
【発明が解決しようとする課題】
【０００７】
従来の音楽プレーヤー等では、リモコン付き有線イヤホンで楽曲を聴いている場合、音楽プレーヤーそのものをポケットやカバンから取り出さずに、イヤホンに付属しているリモコンを操作することにより、同一再生リスト内の「他の楽曲」に切り替えることができる。
【０００８】
しかし、従来のリモコン付き有線イヤホンにおける操作は、楽曲の切り替えの他に、再生中楽曲の一時停止および再開、再生中楽曲の早送りおよび巻戻しなどに限られており、イヤホンに付属しているリモコン操作では、再生リストを別の再生リストに切り替えることができない。
【０００９】
すなわち、再生リストを切り替えるためには、ユーザは音楽プレーヤーをポケットやカバンから取り出して、再生リストを切り替える所定のキー入力操作やタッチパネルによる操作を行う必要があり、再生リストの切替に時間がかかり、ユーザの操作負担が大きい。
【００１０】
また、特許文献１では、ジャンプモード選択操作やグループジャンプ操作をするための専用の入力ボタンを装備する必要があり、選択操作のためにユーザは装置本体の表示部に表示された選択画面を見ながら操作をする必要がある。
【００１１】
特許文献２では、現在再生中のコンテンツに関連する候補コンテンツが含まれる異なるプレイリストへ切り替えられるが、候補コンテンツを抽出する関連性を予め設定する必要があり、また、所望の候補コンテンツを選択する場合、ユーザが表示画面を見ながらその選択操作を行う必要がある。
【００１２】
したがって、従来のいずれの場合も、再生リストを切り替えるためには、音楽プレーヤーに備えられた表示画面を見ながら所定のキー入力操作を行う必要があり、イヤホンに付属されているリモコン操作ボタンを有効利用することができず、再生リストの切替時におけるユーザの操作負担が大きい。
【００１３】
そこで、この発明は、以上のような事情を考慮してなされたものであり、新たな操作ボタンを追加することなく、従来から利用されているリモコン付き有線イヤホン等の操作ボタンを利用して、容易な操作で、再生リストの切替え等の処理を可能にした情報処理装置を提供することを課題とする。
【課題を解決するための手段】
【００１４】
この発明は、所定の機能を実行させるための複数の操作ボタンからなる入力部と、コンテンツを再生する再生処理部と、複数のコンテンツと、複数のコンテンツのうち共通の特性を持つコンテンツを１つのグループとして登録した再生リストとを記憶した記憶部と、前記入力部を用いて再生すべきコンテンツあるいは再生リストが選択され、かつ選択されたコンテンツあるいは再生リストに含まれるコンテンツの再生を開始する入力が行われたことを判断する入力判断部とを備え、コンテンツの再生開始後に、前記入力部の所定の操作ボタンに対して特定の入力操作がされた場合に、前記入力判断部が、前記コンテンツが選択されたと判断した場合と、前記再生リストが選択されたと判断した場合とによって、前記特定の入力操作に対して異なる処理を実行させることを特徴とする情報処理装置を提供するものである。
【００１５】
また、前記記憶部に、前記入力部を用いてユーザが選択したユーザ選択情報を記憶し、前記入力判断部は、再生を開始する際にユーザが再生すべきコンテンツを選択したと判断した場合は、選択されたコンテンツの情報を、前記ユーザ選択情報に記憶し、または、ユーザが再生すべき再生リストを選択したと判断した場合は、選択された再生リストの情報を、前記ユーザ選択情報に記憶することを特徴とする。
これによれば、ユーザの選択操作により、上記特定の入力操作に対して実行される処理を決定する条件の１つであるユーザ選択情報を、設定記憶することができる。
【００１６】
また、前記入力部によって前記特定の入力操作がされた場合に、前記ユーザ選択情報に再生リストの情報が記憶されていた場合、再生中のコンテンツが含まれる再生リストを、他の再生リストに切り替え、前記再生処理部が切換後の再生リストに含まれる所定のコンテンツを再生することを特徴とする。
これによれば、ユーザ選択情報に再生リストの情報が記憶されていた場合には、ユーザが特定の入力操作を行うことによって、容易に、他の再生リストに切替えし、異なるコンテンツを再生することができる。
【００１７】
また、前記入力部によって前記特定の入力操作がされた場合に、前記ユーザ選択情報にコンテンツの情報が記憶されていた場合、再生中のコンテンツの再生状態を変化させる処理を実行することを特徴とする。
また、前記コンテンツの再生状態を変化させる処理は、再生中のコンテンツを早送りする処理または再生中のコンテンツを巻戻しする処理のいずれかであることを特徴とする。
これによれば、ユーザ選択情報にコンテンツの情報が記憶されていた場合に、ユーザが特定の入力操作を行うことによって、容易に、再生中のコンテンツの再生状態を変化させることができる。
【００１８】
また、前記入力部には、再生中のコンテンツを早送り再生するための早送りボタンと、再生中のコンテンツを巻戻し再生するための巻戻しボタンを含み、前記特定の入力操作は、前記早送りボタンを長押しする操作、あるいは、前記巻戻しボタンを長押しする操作であることを特徴とする。
これによれば、ユーザが、特定の入力操作である早送りボタンまたは巻戻しボタンを長押しする操作をしたとき、ユーザ選択情報に記憶されている情報がコンテンツの情報か、あるいは再生リストの情報かによって、異なる処理を実行することができる。
具体的には、ユーザが、同一の長押し操作をしたとしても、ユーザ選択情報に再生リストの情報が記憶されていた場合は、再生リストの切り替え処理が行われ、ユーザ選択情報にコンテンツの情報が記憶されていた場合は、再生中のコンテンツの再生状態を変化させる処理が行われる。
【００１９】
ここで、前記記憶部に、長押設定時間を予め記憶し、前記入力判断部は、前記早送りボタンあるいは巻戻しボタンが入力操作されている時間が、前記長押設定時間以上の場合は、そのボタンを長押しする操作であると判断してもよい。
また、前記記憶部に、長押設定時間を予め記憶し、前記入力判断部は、前記早送りボタンあるいは巻戻しボタンが入力操作されている時間が、前記長押設定時間よりも短い場合は、そのボタンを短押しする操作であると判断してもよい。
【００２０】
また、前記早送りボタンあるいは巻戻しボタンに対して、前記短押しする操作がされた場合、再生中のコンテンツを、他のコンテンツに切り替えて再生することを特徴とする。
また、前記入力部の複数の操作ボタンには、有線または無線通信によって接続された音声出力装置に付属している操作ボタンが含まれることを特徴とする。
これによれば、情報処理装置に接続された音声出力装置に付属している操作ボタンを操作することにより上記特定の入力操作ができるので、ポケットやカバン等にしまい込んだ情報処理装置を取り出さずに、容易に、再生リストの切替え操作と、再生中のコンテンツの再生状態を変化させる操作をすることができる。
【００２１】
また、前記音声出力装置に付属している操作ボタンには、コンテンツの再生を開始または一時停止するための再生ボタン、再生中のコンテンツを早送り再生するための早送りボタン、および再生中のコンテンツを巻戻し再生するための巻戻しボタンが含まれることを特徴とする。
前記コンテンツには、音楽情報または音声情報からなる楽曲などが含まれる。
【発明の効果】
【００２２】
この発明によれば、入力部の所定のボタンに対する特定の入力操作がされた場合に、その入力操作によって再生すべきコンテンツが選択された場合と再生リストが選択された場合とによって異なる処理が実行されるので、新たなボタンを追加することなく、ユーザが所望する機能を容易に実行させることができ、ユーザの入力操作の負担を軽減できる。
【図面の簡単な説明】
【００２３】
【図１】この発明の情報処理装置の一実施例の構成ブロック図である。
【図２】ユーザの入力操作に対して実行されるイベントの一実施例の説明図である。
【図３】記憶部に記憶される再生リストデータの一実施例の説明図である。
【図４】記憶部に記憶される楽曲データ等の一実施例の説明図である。
【図５】この発明の情報処理装置で実行される楽曲等の切替処理の一実施例のフローチャートである。
【発明を実施するための形態】
【００２４】
以下、図に示す実施例に基づいて、この発明を説明する。
なお、これによって、この発明が限定されるものではない。
【００２５】
＜この発明の情報処理装置の構成＞
図１に、この発明の情報処理装置の一実施例の構成ブロック図を示す。
図１において、この発明の情報処理装置は、主として、入力部１，入力判断部２，再生リスト切替部３，楽曲切替部４，再生処理部５，音声出力部６，表示部７，記憶部２０を備える。
【００２６】
この発明の情報処理装置は、音楽や画像等のコンテンツを再生する機能を有する装置であり、たとえば、音楽プレーヤー、情報再生装置、スピーカーや表示装置を備えた携帯端末などが、この発明の情報処理装置に相当する。
また、再生するコンテンツは、たとえば、音楽の楽曲、録音音声、静止画、動画、その他のマルチメディア情報などであり、特にいずれかに限定するものではない。
【００２７】
ただし、以下の実施例では、コンテンツの一実施例として楽曲を取り上げ、装置本体での入力操作をしなくても、リモコン付き有線イヤホン等を用いて所定のリモコン操作をすることによって、少なくとも楽曲の再生、楽曲の切替、再生中の楽曲の早送りおよび巻戻し処理、再生リストの切替を行うことが可能な情報処理装置について説明する。
楽曲には、音楽情報のほかに、音声教材などの音声情報も含む。
【００２８】
入力部１は、ユーザが、所定の情報の入力や、所定の機能を実行させるための指示入力を行う部分であり、たとえば、所定の機能を実行させるための複数の操作ボタンを備える。
また、入力部１としては、情報処理装置本体に付属している入力手段として、複数のキー（ボタン）を有するキーボード、マウス、タッチパネルなどを利用することもできる。
【００２９】
また、この発明の複数の操作ボタンには、有線または無線通信によって接続された音声出力装置に付属している操作ボタンが含まれる。
たとえば、音声出力装置の１つである図示しないリモコン付き有線イヤホンを接続する端子を有し、このイヤホンに付属しているリモコン用の操作ボタン１１も、入力部１として利用する。
ただし、有線イヤホンの代わりに、図示しない無線通信機能を備え、無線通信を利用した情報の送受信とリモコンによる入力操作が可能な無線機器（ワイヤレスヘッドセット、ワイヤレススピーカなど）を接続し、その無線機器に付属された操作ボタン１１を入力部１として利用してもよい。無線通信としては、Bluetooth（登録商標）などのいずれの通信方式を用いてもよい。
【００３０】
音声出力装置であるリモコン付き有線イヤホンに付属する操作ボタン１１としては、機能ごとに異なる複数の操作ボタンを設けてもよいが、以下の実施例では、従来からそのイヤホンに用いられていることが多い３つの操作ボタンを有するものとする。
３つの操作ボタンとは、再生中のコンテンツ（楽曲）を早送り再生するための「早送り」ボタン１２，再生中のコンテンツ（楽曲）を巻戻し再生（逆再生）するための「巻戻し」ボタン１３，押し下げるごとにコンテンツの再生開始および再生の一時停止を切替操作するための「再生」ボタン１４である。
【００３１】
以下に示すように、この発明では、情報処理装置本体に付属している入力操作ボタン等を用いずに、これらの３つの操作ボタンを利用して、楽曲の切り替え機能、楽曲の早送りおよび巻戻し機能に加えて、再生リストの切り替え機能を、容易な操作で行えるようにしたことを特徴とする。
【００３２】
入力判断部２は、入力部１を用いてユーザが入力した指示や選択内容を判断する部分である。また、その判断内容によって、楽曲の再生処理など、入力された指示に対応した処理を、他の機能ブロックに行わせる部分である。
特に、この発明では、入力判断部２は、入力部１を用いて再生すべきコンテンツあるいは再生リストが選択され、かつ選択されたコンテンツあるいは再生リストに含まれるコンテンツの再生を開始する入力が行われたか否かを判断する。
【００３３】
さらに、この発明では、コンテンツの再生開始後に、入力部１の所定の操作ボタンに対して特定の入力操作がされた場合に、入力判断部２が、コンテンツが選択されたと判断した場合と、再生リストが選択されたと判断した場合とによって、その特定の入力操作に対して異なる処理を実行させる。
また、入力判断部２は、再生を開始する際に、ユーザが再生すべきコンテンツを選択したと判断した場合は、選択されたコンテンツの情報を、後述するユーザ選択情報２４に記憶させる。または、ユーザが再生すべき再生リストを選択したと判断した場合は、選択された再生リストの情報を、ユーザ選択情報２４に記憶させる。
【００３４】
たとえば、入力判断部２は、再生ボタン１４が入力されたことを確認し、所望の楽曲が現在再生中の場合には、その入力に基づいて、再生処理部５に一時停止の指示を送り、再生処理部５に再生中の楽曲を一時停止させる処理を実行させる。
また、ユーザが所望の楽曲を選択する入力をした後、装置本体の再生開始ボタンや再生ボタン１４を入力操作したことを確認した場合は、後述するユーザ選択情報２４にその楽曲を特定する情報（楽曲情報）を記憶させる。
【００３５】
さらに、入力判断部２は、ユーザが、個々の楽曲ではなく、所望の再生リストを選択する入力をした後、装置本体の再生開始ボタンや再生ボタン１４の入力操作をしたことを確認した場合は、ユーザ選択情報２４に、選択された再生リストを特定する情報（再生リスト情報）を記憶させる。
後述するように、この記憶されたユーザ選択情報２４を利用して、操作ボタンの入力状態に基づいて、楽曲の切替再生や、再生リストの切替処理等を行う。
【００３６】
再生リスト切替部３は、入力判断部２からの指示に基づいて、現在再生中の再生リストを、異なる再生リストに切り替える部分である。どの再生リストに切り替えるかは特に一意的に決められるものではなく、予め定めた切替基準に基づいて行えばよい。
たとえば、後述するように、複数の再生リストが所定の階層（レイヤ）関係を持つように設定されている場合、現在再生中の再生リストと同一階層に設定された他の再生リストに切り替えるようにしてもよい。
【００３７】
また、再生リストを切り替える場合において、早送りボタン１２が入力操作された場合は、同一階層にある複数の再生リストのうち、記憶された配列順序が１つ次の再生リストに切り替えればよい。
さらに、巻戻しボタン１３が入力操作された場合は、同一階層にある複数の再生リストのうち、配列順序が１つ前の再生リストに切り替えればよい。
【００３８】
楽曲切替部４は、入力判断部２からの指示に基づいて、現在再生中の楽曲を、他の楽曲に切り替える部分である。どの楽曲に切り替えるかは、特に一意的に決められるものではない。
たとえば、後述するように、楽曲データ２２に記憶された登録順序を参照し、早送りボタン１２が入力操作された場合は、その登録順序が１つ次の楽曲に切り替えればよい。
また、巻戻しボタン１３が入力操作された場合は、上記登録順序が１つ前の楽曲に切り替えればよい。あるいは、現在再生中の楽曲が属する再生リストが存在する場合、早送りボタン１２あるいは巻戻しボタン１３に対応させて、その再生リストの中の次曲あるいは前曲に切り替えればよい。
【００３９】
再生処理部５は、コンテンツを再生する部分である。特に、入力判断部２からの指示に基づいて、現在選択されている楽曲の再生開始処理、現在再生中の楽曲の一時停止処理、現在再生中の楽曲の早送り処理、あるいは現在再生中の楽曲の巻戻し処理などを行う部分である。
たとえば、後述するように、ユーザ選択情報２４に、楽曲情報が記憶されている場合において、早送りボタン１２が長押し操作された場合は、再生中の楽曲の早送り処理が行われ、巻戻しボタン１３が長押し操作された場合は、再生中の楽曲の巻戻し処理が行われる。
【００４０】
上記した、入力判断部２，再生リスト切替部３，楽曲切替部４，再生処理部５は、説明のために機能ごとに分割したブロックであり、主として、ＣＰＵ，ＲＯＭ，ＲＡＭ，Ｉ／Ｏコントローラ、タイマー等を備えたマイクロコンピュータによって実現される。
各機能ブロックの機能は、ＣＰＵが、ＲＯＭ等に記憶されたプログラムに基づいて、各種ハードウェアを有機的に動作させることにより、実現される。
【００４１】
音声出力部６は、楽曲などの音を外部へ出力する部分であり、たとえば、装置本体に備えられたスピーカが用いられる。ただし、リモコン付き有線イヤホンやワイヤレスヘッドセットを接続した場合は、イヤホンやヘッドセットのスピーカが音声出力部となる。
表示部７は、コンテンツそのものを表示したり、情報の入力や、機能選択のために必要な表示画面を表示する部分であり、ＬＣＤ、有機ＥＬディスプレイなどが用いられる。
【００４２】
記憶部２０は、この発明の情報処理装置の機能を実行するために必要な情報や、プログラムなどを記憶する部分であり、ＲＯＭ、ＲＡＭ、フラッシュメモリなどの半導体記憶素子、ＨＤＤ、ＳＳＤなどの記憶装置、ＤＶＤやＣＤなどの記憶媒体が用いられる。
また、上記プログラムは、該プログラムを伝送可能な任意の伝送媒体（通信ネットワークや放送波等）を介して上記コンピュータに供給されてもよい。
記憶部２０には、主として、再生リストデータ２１，楽曲データ２２，長押設定時間２３，ユーザ選択情報２４，再生中情報２５が記憶される。ただし、この他に、楽曲以外の複数のコンテンツなどの情報を記憶してもよい。
【００４３】
再生リストデータ２１は、１または複数の再生リストを記憶したものであり、再生リストとは、複数のコンテンツのうち共通の特性を持つコンテンツを１つのグループとして登録したリストである。１つの再生リストは、たとえば、楽曲の特徴項目や分類項目などの特性に基づいて作成され、１または複数の楽曲名を含むリストである。また、再生リストが階層（レイヤ）構造で作成される場合には、再生リストデータ２１には、再生リスト間の階層（レイヤ）関係を示す情報も含まれる。
【００４４】
図３に、再生リストデータ２１の一実施例の説明図を示す。
図３（ａ）は、５つの再生リスト（Ａ，Ａ１，Ａ２，Ｂ，Ｂ１）の階層関係を示したデータである。
図３（ｃ）は、図３（ａ）に示した階層関係をレイヤ別に示した図である。たとえば、再生リストＡと再生リストＢとは、第１階層（レイヤ１）に属し、これらの再生リストは、上階層の再生リストがないことを示している。
【００４５】
また、再生リストＡ１とＡ２は、第２階層（レイヤ２）に属し、これらの再生リストの１つ上の上階層の再生リストは、再生リストＡであることを示している。
また、再生リストＢ１は、第２階層（レイヤ２）に属し、上階層の再生リストは、再生リストＢであることを示している。
【００４６】
図３（ｂ）は、各再生リストに含まれる楽曲の内容の一実施例を示している。
ここで、再生リストＡ１には、２つの楽曲（１０１，１０２）が含まれ、再生リストＡ２，Ｂ１には、それぞれ楽曲１０３，楽曲１０４が含まれていることを示している。
上記したように、同一階層（レイヤ）の再生リストに切り替える処理を行う場合、たとえば、現在再生中の再生リストがレイヤ２のＡ１であった場合、同一階層（レイヤ２）の再生リストＡ２に切り替える。
【００４７】
図４に、記憶部に記憶される楽曲データなどの一実施例の説明図を示す。
図４（ａ）の楽曲データ２２は、音楽の曲ごとの情報を記憶したものである。
１つの楽曲データには、たとえば、曲名（あるいは曲識別情報）と、その楽曲そのものを特定するファイルと、その楽曲が属する再生リストとが含まれる。
【００４８】
図４において、曲名が「１０１」の楽曲は、ファイルが「aa101.mp3」であり、再生リストＡ１に属していることを示している。
ユーザによって、再生リストが選択されず１つの楽曲が直接選択された場合、たとえば、曲名「１０１」が選択されて再生中であるときに、早送りボタン１２が短押し操作された場合には、次曲選択操作となり、この楽曲データ２２の中の「１０１」の次に登録された曲「１０２」が選択されて再生される。
【００４９】
長押設定時間２３は、早送りボタン１２または巻戻しボタン１３を入力操作した場合に、その入力操作が「短押し」かあるいは「長押し」かを判断するための時間を意味する。
図４（ｂ）の場合、長押設定時間２３として、予め５秒が設定されており、操作ボタンが５秒間以上押し下げられた状態が継続した場合に、そのボタンの入力操作を長押し操作と判断する。
逆に、押し下げ状態の継続期間（入力操作がされている時間）が、５秒より短い場合は、短押し操作と判断する。
この長押設定時間は、５秒に限るものではなく、他の時間に予め設定してもよく、ユーザが独自の時間に設定変更できるようにしてもよい。
【００５０】
ユーザ選択情報２４は、ユーザが装置本体において、視聴しようとする楽曲等を選択する場合に、その選択入力操作に対応付けて記憶される情報を意味する。
一般的に、所望の楽曲を選択する場合、個々の楽曲を直接選択入力する場合と、その楽曲が含まれる再生リストを選択する場合が考えられる。
また、再生リストを選択するとき、予め初期設定で用意された再生リストを選択する場合と、ユーザが独自に作成した再生リストそのものを選択する場合もある。
【００５１】
そこで、ユーザが個々の楽曲を直接選択入力した場合には、ユーザ選択情報２４に、その選択した楽曲の情報（楽曲情報）を記憶する。
また、ユーザが再生リストを選択入力した場合には、ユーザ選択情報２４に、選択した再生リストの情報（再生リスト情報）を記憶する。
図４（ｃ）は、再生リスト「Ａ１」を選択した場合を示しており、  図４（ｄ）は、楽曲「１０２」を選択した場合を示している。
【００５２】
このユーザ選択情報２４に記憶される内容によって、後述するように、実行されるイベント処理が異なる。たとえば、ユーザ選択情報２４に、コンテンツ（楽曲）の情報が記憶されていた場合は、現在再生中のコンテンツ（楽曲）の再生状態を変化させる処理を実行させる。
再生状態を変化させる処理とは、たとえば、現在再生中のコンテンツ（楽曲）を早送りする処理、または現在再生中のコンテンツ（楽曲）を巻戻しする処理のいずれかである。
【００５３】
ここで、ユーザ選択情報２４に、再生リストあるいは楽曲を特定する情報を記憶することの他に、ユーザが楽曲の再生処理をするために選択操作をしたときに、再生リストを選択したかあるいは楽曲を選択したかを区別する情報（たとえば、０あるいは１の値を持つ選択フラグ）のみを記憶させるようにしてもよい。
【００５４】
再生中情報２５は、現在再生中である楽曲の情報を記憶したものである。
図４（ｅ）に示すように、再生中情報２５としては、再生中の楽曲を特定する情報（たとえば、「１０２」）と、再生中の楽曲が属する再生リスト（たとえば、「Ａ１」）とが含まれる。
再生中の楽曲が複数の再生リストに重複して登録されている場合は、その登録されている再生リストをすべて記憶してもよい。この再生中情報２５の内容に基づいて、次に再生すべき楽曲や再生リストを決定することができる。
【００５５】
＜ユーザ入力操作に対する実行イベント＞
図２に、ユーザ入力操作に対する実行イベントの一実施例の説明図を示す。
ここでは、ユーザ入力操作は、イヤホンに付属している操作ボタン１１のうち、早送りボタン１２および巻戻しボタン１３を操作するものとする。
実行イベントは、所定のイベント条件が満たされたときに、実行される処理を示している。
イベント条件は、実行イベントを実行するための条件を示したものであり、操作ボタンの種類と、その操作ボタンの入力時間の種類と、再生開始時のユーザの選択入力操作によって記憶されたユーザ選択情報２４とが含まれる。
【００５６】
操作ボタンは、操作されたボタンが、「早送りボタン１２」か、あるいは「巻戻しボタン１３」のいずれであるかを示している。これらの操作ボタンによる特定の入力操作には、早送りボタンを長押しする操作、あるいは、巻戻しボタンを長押しする操作が含まれる。
「入力時間」は、操作されたボタンの入力が継続している時間が、「長押し」あるいは「短押し」のいずれであるかを示している。
入力時間が、「長押し」と「短押し」のいずれであるかは、実際の入力継続時間と上記した長押設定時間２３との比較によって判断する。
【００５７】
ユーザ選択情報２４には、上記したように、再生リストを特定する再生リスト情報か、あるいは楽曲を特定する楽曲情報のいずれかが記憶されている。
ここで、たとえば、図２のＮｏ．１において、ユーザ選択情報２４に、「再生リスト情報」が記憶されており、早送りボタン１２が長押し操作された場合、現在再生中の楽曲が含まれている再生リストを、同一階層の他の再生リストのうち、１つ次の再生リストへ切り替える処理を実行する。その後、再生処理部５が、切替後の再生リストに含まれる所定のコンテンツ（楽曲）を再生する。
次の再生リストとは、たとえば、図３（ａ）に示す再生リストデータの登録順序に基づいて、現在の再生リストよりも１つ下方の再生リストを意味する。
【００５８】
同様に、ユーザ選択情報２４として、「再生リスト情報」が記憶されている場合に、Ｎｏ．２において、巻戻しボタン１３が長押し操作された場合は、同一階層内で１つ前の再生リストへ切り替える処理を実行する。
また、Ｎｏ．３において、ユーザ選択情報２４として「楽曲情報」が記憶され、早送りボタン１２が長押し操作された場合は、現在再生中である同一楽曲を早送りする処理を実行する。
Ｎｏ．４において、ユーザ選択情報２４として「楽曲情報」が記憶され、巻戻しボタン１３が長押し操作された場合は、現在再生中である同一楽曲を巻戻しする処理を実行する。
【００５９】
Ｎｏ．５からＮｏ．８までは、ボタンを「短押し」した場合の実行イベントを示しており、いずれも、再生中の楽曲を、他の楽曲に切り替える処理を行う。すなわち、早送りボタンあるいは巻戻しボタンに対して、短押しする操作がされた場合、再生中のコンテンツ（楽曲）を、他のコンテンツに切り替えて再生する。
たとえば、Ｎｏ．５において、ユーザ選択情報２４として「再生リスト情報」が記憶され、早送りボタン１２が短押し操作された場合は、同一再生リスト内の次曲を再生するように、再生する楽曲を切り替える。
Ｎｏ．６において、ユーザ選択情報２４として「再生リスト情報」が記憶され、巻戻しボタン１３が短押し操作された場合は、同一再生リスト内の前曲を再生するように、再生する楽曲を切り替える。
【００６０】
Ｎｏ．７において、ユーザ選択情報２４として「楽曲情報」が記憶され、早送りボタン１２が短押し操作された場合は、同一階層に存在する次曲を再生するように、再生する楽曲を切り替える。
Ｎｏ．８において、ユーザ選択情報２４として「楽曲情報」が記憶され、巻戻しボタン１３が短押し操作された場合は、同一階層に存在する前曲を再生するように、再生する楽曲を切り替える。
【００６１】
以上のように、ユーザ選択情報２４に記憶された情報と、所定の操作ボタンのユーザの操作内容との組合せにより、３種類の処理、すなわち、再生リストの切替処理と、楽曲の切替処理と、同一楽曲の早送りおよび巻戻し処理のいずれかを実行させることができる。
操作ボタンとして、リモコン付き有線イヤホンや、無線機器に付属されているボタンを利用することにより、操作ボタンを追加することなく、装置本体をポケット等から取り出す必要もなく、容易に上記３種類のいずれかの処理をさせることが可能となり、ユーザの操作負担を軽減させることができる。
【００６２】
＜再生時における切替処理＞
図５に、この発明の情報処理装置で実行される楽曲等の切替処理の一実施例のフローチャートを示す。
ここでは、ユーザが入力部１を用いて、楽曲または再生リストを選択する入力操作をすることによって所定の楽曲の再生を開始した後、ユーザが、リモコン付きイヤホンに付属している早送りボタン１２または巻戻しボタン１３を操作することによって、再生する楽曲の切替処理、再生する再生リストの切替処理、再生中の楽曲の早送りまたは巻戻し処理を行う場合について説明する。
【００６３】
ステップＳ１において、ユーザが、入力部１を用いて、入力操作をしたか否かを確認する。
ユーザによる入力操作が行われた場合、入力判断部２が、その入力操作によって指示された内容が何であるかを判断する。
【００６４】
ステップＳ２において、入力判断部２が、入力操作によって指示された内容が、再生開始であるか否かをチェックする。
再生開始である場合は、ステップＳ３へ進み、そうでない場合は、ステップＳ１へ戻る。
ただし、再生開始でない場合、入力操作に対応付けられた処理内容がある場合は、ステップＳ１へ戻らずに、その処理内容を実行してもよい。
【００６５】
この発明では、ユーザが再生開始の指示入力をする場合、その入力操作をする前に、所望の１つの楽曲を選択する操作をするか、あるいは、所望の１つの再生リストを選択する操作をするものとする。
この選択操作によって、楽曲かあるいは再生リストのいずれが選択されたかを、記憶部２０に一時記憶してもよい。
【００６６】
ステップＳ３において、再生処理部５は、１つの楽曲が選択された場合は、その楽曲の再生を開始し、音声出力部６から、音声を出力する。
ここで、再生処理部５は、再生を開始した楽曲の情報（再生中楽曲、再生中リスト）を、再生中情報２５に記憶する。
【００６７】
ステップＳ４において、入力判断部２が、再生開始の指示入力の前に、ユーザが楽曲を選択したか、あるいは再生リストを選択したかを確認する。
楽曲を選択した場合は、たとえば、図４（ｄ）のように、その楽曲情報を、ユーザ選択情報２４に記憶させる。
再生リストを選択した場合は、たとえば、図４（ｃ）のように、再生リスト情報を、ユーザ選択情報２４に記憶させる。
【００６８】
ステップＳ５において、入力判断部２が、ユーザが、新たな入力操作をしたか否かをチェックする。
ここでは、装置本体の入力操作だけでなく、リモコン付きイヤホンに付属しているボタンの入力操作や、装置本体と無線通信が可能な機器に備えられたボタンの入力操作の有無もチェックする。
以下のフローでは、リモコン付きイヤホンあるいは無線機器に付属している「早送りボタン１２」あるいは「巻戻しボタン１３」が入力操作された場合を示している。
【００６９】
ステップＳ５の入力チェックにおいて、入力操作がない場合は、ステップＳ５をループする。
また、入力操作があったことを確認したとき、タイマーを起動させ、たとえば、ボタンを押し下げる入力操作が開始された後、そのボタンの押し下げが解除されるまでの入力時間を計測する。
【００７０】
ステップＳ６において、入力されたユーザ操作が、早送りボタン１２あるいは巻戻しボタン１３のいずれかのボタンに対するものかをチェックし、どちらかのボタンであれば、ステップＳ７へ進み、どちらでもない場合は、ステップＳ１２へ進む。
ステップＳ１２において、入力されたユーザ操作が、再生終了を意味する入力であった場合は、処理を終了する。
そうでない場合は、図５のように、ステップＳ５へ戻る。あるいは、図示していないが、他の機能を実行させるための入力であった場合は、その機能を実行してもよい。
【００７１】
ステップＳ７において、ユーザが行った入力操作が長押し操作であるか否かをチェックする。ここでは、たとえば、上記したように、計測されている入力時間が、長押設定時間２３よりも長いか短いかが判断される。
計測された入力時間が、長押設定時間２３以上の場合は、長押し操作がされていると判断し、長押設定時間２３よりも短い場合は、短押し操作がされたと判断する。
長押し操作がされた場合は、ステップＳ９へ進み、短押し操作がされた場合は、ステップＳ８へ進む。
【００７２】
ステップＳ８において、早送りボタン１２あるいは巻戻しボタン１３の短押し操作がされたので、再生中の楽曲を、他の楽曲に切り替えて再生する処理を行う。
ここでの再生処理では、上記した図２のＮｏ．５からＮｏ．８までのいずれかのイベントを実行する。
【００７３】
たとえば、Ｎｏ．５のイベント条件が満たされる場合、早送りボタン１２が短押しされた場合は、同一再生リスト内の楽曲のうち、現在再生されていた楽曲の次に配置されていた楽曲（次曲）を再生するように切り替える。
また、Ｎｏ．８のイベント条件が満たされる場合、巻戻しボタン１３が短押しされた場合は、現在再生されている楽曲の直前に再生されていた同一階層の前曲を再生するように切り替える。
ステップＳ８の後、ステップＳ５へ戻り、上記と同様の処理を繰り返す。
【００７４】
ステップＳ９において、ユーザ選択情報２４に記憶されている情報が、再生リスト情報か、あるいは楽曲情報のどちらであるかをチェックする。
再生リスト情報の場合は、ステップＳ１０へ進み、楽曲情報の場合は、ステップＳ１１へ進む。
【００７５】
ステップＳ１０において、再生リストが選択されていたので、現在再生中の再生リストを、同一階層の他の再生リストに切り替え、その切替後の再生リストに含まれる楽曲を再生する。
ここで、再生される楽曲は、切り替え後の再生リストに含まれる任意の楽曲でもよく、あるいは、先頭に配置された楽曲であってもよい。また、ユーザが再生すべき楽曲の順序を予め設定しておいてもよい。
【００７６】
このステップＳ１０において実行される処理は、図２のＮｏ．１とＮｏ．２のいずれかのイベント条件に対応する実行イベントに相当する。
たとえば、ユーザ選択情報２４に再生リスト情報が記憶され、早送りボタン１２が長押し操作された場合、Ｎｏ．１のイベント条件が満たされるので、現在再生中の再生リストと同一階層の再生リストのうち、再生中の再生リストの１つ次に配置された再生リスト（次再生リスト）へ切り替える。
【００７７】
また、ユーザ選択情報２４に再生リスト情報が記憶され、巻戻しボタン１３が長押し操作された場合、Ｎｏ．２の条件が満たされるので、現在再生中の再生リストと同一階層の再生リストのうち、再生中の再生リストの１つ前に配置された再生リスト（前再生リスト）へ切り替える。
その後、ステップＳ５へ戻り、同様の処理を繰り返す。
【００７８】
ステップＳ１１において、楽曲が選択されていたので、早送りボタン１２あるいは巻戻しボタン１３の長押し操作に対応して、現在再生中の楽曲の早送りあるいは巻戻しを行う。
このステップＳ１１において実行される処理は、図２のＮｏ．３とＮｏ．４のいずれかのイベント条件に対応する実行イベントに相当する。
また、早送りあるいは巻戻しの処理は、ユーザが早送りボタン１２あるいは巻戻しボタン１３を押し下げている時間だけ行い、離したときにその処理を終了すればよい。
その後、ステップＳ５へ戻り、同様の処理を繰り返す。
【００７９】
上記のように、ステップＳ５からＳ１２までの一連の処理において、再生開始時にユーザの選択操作によって記憶されたユーザ選択情報の内容と、イヤホンに付属されている所定の操作ボタンの長押しあるいは短押し操作との組合せによって、楽曲の切替処理、再生リストの切替処理、再生中の楽曲の早送りおよび巻戻し処理のいずれかを、装置本体をポケット等から取り出さなくても、容易に行うことができ、ユーザの入力操作の負担を軽減できる。
【００８０】
また、再生開始時に、ユーザの選択操作によってユーザ選択情報２４の内容が決定されるが、たとえば、再生リストの切り替えよりも同一楽曲の早送りや巻戻しを優先させたい場合は、ユーザは、再生開始時に、１つの楽曲を選択する操作をすればよい。
たとえば、再生される楽曲が、単なる音楽ではなく、語学学習用の録音音声教材などの場合、楽曲を選択する操作をすることにより、早送りボタンあるいは巻戻しボタンの長押し操作によって、再生中の教材の早送りや巻戻しが可能となる。
【００８１】
また、同一楽曲の再生早送りや巻戻しよりも、再生リストの切り替えを優先させたい場合、たとえばできるだけ多くの楽曲を再生させたい場合は、ユーザは、再生開始時に、１つの再生リストを選択する操作をすればよい。
これにより、選択した再生リストに含まれるすべての楽曲を聞き終わる前に、他の再生リストに切り替えて、別の楽曲を継続して再生させることが可能となる。
【符号の説明】
【００８２】
１  入力部、２  入力判断部、３  再生リスト切替部、４  楽曲切替部、５  再生処理部、６  音声出力部、７  表示部、１１  操作ボタン、１２  早送りボタン、１３  巻戻しボタン、１４  再生（一時停止）ボタン、２０  記憶部、２１  再生リストデータ、２２  楽曲データ、２３  長押設定時間、２４  ユーザ選択情報、２５  再生中情報
【図１】
2015022786.tif 000003
【図２】
2015022786.tif 000004
【図３】
2015022786.tif 000005
【図４】
2015022786.tif 000006
【図５】
2015022786.tif 000007